(57)【特許請求の範囲】
【請求項１】
通信装置において、
ユーザによる指示を検知する検知手段と、
前記検知手段による前記指示の検知に応じて、第１のネットワークを形成する第１の他の通信装置と無線通信するための通信パラメータを前記第１の他の通信装置と通信することにより取得して当該通信パラメータに基づいて前記第１の他の通信装置と接続すると共に前記第１のネットワークと異なる第２のネットワークにおいて暗号化通信するための設定を行う設定手段と、
前記通信パラメータに基づいて接続された前記第１の他の通信装置と前記第２のネットワークとを介して、前記設定に基づいて前記第２のネットワークにおける暗号化通信のために暗号化されたデータを第２の他の通信装置へ送信する送信手段と、
を有することを特徴とする通信装置。
【請求項２】
データを記憶する記憶手段と、
前記送信手段により前記第２の他の通信装置へ送信されたデータを前記記憶手段から削除する削除手段を更に有することを特徴とする請求項１に記載の通信装置。
【請求項３】
前記削除手段は、前記送信手段がデータを送信してから所定時間が経過すると、当該データを前記記憶手段から削除することを特徴とする請求項２に記載の通信装置。
【請求項４】
前記検知手段による前記指示を検知することなく前記第１の他の通信装置と接続した場合、前記送信手段は前暗号化通信するための設定を行うことなく前記第２の他の通信装置へデータを送信することを特徴とする請求項１乃至３のいずれか１項に記載の通信装置。
【請求項５】
前記第１の他の通信装置と通信することにより取得された前記通信パラメータには、当該第１の他の通信装置が形成する無線ネットワークの識別情報、当該他の通信装置との通信に用いる暗号情報および認証情報のうちの少なくとも１つが含まれることを特徴とする請求項１乃至４のいずれか１項に記載の通信装置。
【請求項６】
前記第１の他の通信装置と通信することにより取得された前記通信パラメータには、当該他の通信装置が形成する無線ネットワークの識別情報、当該第１の他の通信装置との通信に用いる暗号情報および認証情報が含まれることを特徴とする請求項１乃至５のいずれか１項に記載の通信装置。
【請求項７】
前記送信手段は、前記第２の他の通信装置に応じたデータを選択的に送信することを特徴とする請求項１乃至６のいずれか１項に記載の通信装置。
【請求項８】
前記第２の他の通信装置へ送信されたデータは画像データであることを特徴とする請求項１乃至７のいずれか１項に記載の通信装置。
【請求項９】
前記送信手段は、ＩＥＥＥ８０２．１１に準拠した方式により前記第１の他の通信装置へデータを送信し、前記第１の他の通信装置は、当該データを前記第２のネットワークを介して前記第２の他の通信装置に中継することを特徴とする請求項１乃至８のいずれか１項に記載の通信装置。
【請求項１０】
前記第１のネットワークは、ＩＥＥＥ８０２．１１に準拠した無線ネットワークであり、前記第２のネットワークは、インターネットであることを特徴とする請求項１乃至９いずれか１項に記載の通信装置。
【請求項１１】
前記第２のネットワークにおいて暗号化通信するための設定は、ＶＰＮ（Ｖｉｒｔｕａｌ  Ｐｒｉｖａｔｅ  Ｎｅｔｗｏｒｋ）の設定であることを特徴とする請求項１乃至１０いずれか１項に記載の通信装置。
【請求項１２】
前記第２のネットワークにおいて暗号化通信するための設定は、ＩＰＳｅｃ（Ｓｅｃｕｒｉｔｙ  Ａｒｃｈｉｔｅｃｔｕｒｅ  ｆｏｒ  Ｉｎｔｅｒｎｅｔ  Ｐｒｏｔｃｏｌ）の設定であることを特徴とする請求項１乃至１１いずれか１項に記載の通信装置。
【請求項１３】
通信装置の制御方法であって、
ユーザによる指示の検知に応じて、第１のネットワークを形成する第１の他の通信装置と無線通信するための通信パラメータを前記第１の他の通信装置と通信することにより取得して当該通信パラメータに基づいて前記第１の他の通信装置と接続すると共に前記第１のネットワークと異なる第２のネットワークにおいて暗号化通信するための設定を行い、
前記通信パラメータに基づいて接続された前記第１の他の通信装置と前記第２のネットワークとを介して、前記設定に基づいて前記第２のネットワークにおける暗号化通信のために暗号化されたデータを第２の他の通信装置へデータを送信する
ことを特徴とする制御方法。
【請求項１４】
コンピュータに、請求項１３に記載の制御方法を実現させるためのプログラム。
【発明の詳細な説明】
【技術分野】
【０００１】
本発明は、ネットワーク上のサーバに対してファイルの送信を行う通信装置、通信方法、並びに当該通信方法をコンピュータに実行させるためのコンピュータプログラムに関する。
【背景技術】
【０００２】
近年、ＩＥＥＥ８０２．１１無線ＬＡＮ等の無線通信機能を備えるデジタルカメラが製品化されている。このようなデジタルカメラでは、無線通信機能を用いることによって、記憶媒体に存在する画像データを無線通信ネットワーク上のサーバに送信することも可能となっている。例えば、撮影した画像ファイルをファイルサーバに送信後に記憶媒体から当該画像ファイルを消去する技術が提案されている（特許文献１参照）。
【０００３】
また、デジタルカメラがホームサーバの無線圏内に入ったことを検出した場合に、撮影した画像を自動的にファイルサーバに送信する技術も提案されている。（特許文献２参照）
【先行技術文献】
【特許文献】
【０００４】
【特許文献１】特開２０００−１８４３２４号公報
【特許文献２】特開２００２−１９９１２１号公報
【発明の概要】
【発明が解決しようとする課題】
【０００５】
しかしながら、上記従来例においては、他人宅のサーバに画像ファイルを送信することや、自宅以外の場所から自宅のサーバに画像ファイルを送信することについては考慮されていなかった。
【０００６】
また、自宅以外の無線アクセスポイント（基地局装置）と無線通信する為の無線通信パラメータ（例えばネットワーク識別子、暗号鍵、認証方法等）に関しては、デジタルカメラに設定を行っていない場合が多い。従って、自宅以外の無線アクセスポイントに接続する場合は、画像ファイルをサーバに送信する操作だけでなく、無線通信パラメータを設定する操作も行わなければならないため、煩わしいという問題もあった。
【０００７】
本発明は、データを送信する際の課題を解決することを目的とする。
【課題を解決するための手段】
【０００８】
上記目的を達成するために、本発明の通信装置は、ユーザによるデータの送信指示の検知に応じて、無線ネットワークを形成する他の通信装置と無線通信するための通信パラメータを前記他の通信装置と通信することにより取得して当該通信パラメータに基づいて前記他の通信装置と接続すると共に、ＶＰＮ（Ｖｉｒｔｕａｌ  Ｐｒｉｖａｔｅ  Ｎｅｔｗｏｒｋ）を設定するための設定情報に基づいて、少なくとも前記通信装置と前記他の通信装置との間でＶＰＮを設定し、設定されたＶＰＮを介して前記他の通信装置へデータを送信する。
【発明の効果】
【０００９】
本発明によれば、簡単かつ安全にデータを送信することができる。
【図面の簡単な説明】
【００１０】
【図１】各実施例におけるデジタルカメラ１０１が属するシステムのシステム構成図。
【図２】各実施例におけるデジタルカメラ１０１のブロック図。
【図３】実施形態１におけるデジタルカメラ１０１の動作を示したフローチャート。
【図４】実施形態２におけるデジタルカメラ１０１の動作を示したフローチャート。
【図５】実施形態３においてホーム識別子格納エリア２１１へ無線ネットワーク識別子を設定する際のデジタルカメラ１０１の動作を示すフローチャート。
【発明を実施するための最良の形態】
【００１１】
＜実施形態１＞
図１は本実施例におけるデジタルカメラ１０１が属するシステムのシステム構成図である。
【００１２】
デジタルカメラ１０１のユーザは、自宅・他人宅・屋外を自由に移動することができる。
【００１３】
自宅においては、各機器がネットワーク１０２Ａに接続する構成をとっている。１０３ＡはＩＥＥＥ８０２．１１無線ＬＡＮ（以下、無線ＬＡＮ）のアクセスポイントである。アクセスポイント１０３Ａは無線ネットワーク識別子Ａを用いて無線ネットワークを形成する。デジタルカメラ１０１は、アクセスポイント１０３Ａと無線ＬＡＮによる無線通信を行うことによって自宅のネットワーク１０２Ａに接続することができる。
【００１４】
１０４Ａは、画像ファイルをはじめ様々なファイルが格納されるファイルサーバである。１０５Ａは、自宅のネットワーク１０２Ａとインターネット１０６との接続を行うゲートウェイである。ゲートウェイ１０５Ａではファイアーウォール制御が行われ、ファイアーウォールで許可された場合にのみインターネット１０６から自宅のネットワーク１０２Ａ内の機器にアクセスすることができる。
【００１５】
他人宅においては、各機器がネットワーク１０２Ｂに接続する構成をとっている。１０３Ｂは無線ＬＡＮのアクセスポイントであり、無線ネットワーク識別子Ｂを用いて無線ネットワークを形成する。デジタルカメラ１０１は、アクセスポイント１０３Ｂと無線ＬＡＮによる無線通信を行うことによって他人宅のネットワーク１０２Ｂに接続することができる。
【００１６】
１０４Ｂは、画像ファイルをはじめ様々なファイルが格納されるファイルサーバである。１０５Ｂは他人宅のネットワーク１０２Ｂとインターネット１０６との接続を行うゲートウェイである。ゲートウェイ１０５Ｂではファイアーウォール制御が行われ、ファイアーウォールで許可された場合にのみインターネット１０６から他人宅のネットワーク１０２Ｂ内の機器にアクセスすることができる。
【００１７】
屋外においては、公衆無線ＬＡＮによってインターネット１０６にアクセスすることができる。１０３Ｃは公衆無線ＬＡＮのアクセスポイントであり、無線ネットワーク識別子Ｃを用いて無線ネットワークを形成する。デジタルカメラ１０１は、アクセスポイント１０３Ｃと無線ＬＡＮによる無線通信を行うことによってインターネット１０６にアクセスすることができる。
【００１８】
図２は本実施例におけるデジタルカメラ１０１のブロック図である。
【００１９】
２０１はデジタルカメラ１０１を制御するデジタルカメラ制御部である。２０２は撮影した画像ファイル等を格納する記憶媒体であり、２０３は記憶媒体２０２をデジタルカメラ１０１の本体に収容するための記憶媒体インタフェースである。記憶媒体の例としてはコンパクトフラッシュメモリカード（ＣＦメモリカード）やセキュア・ディジタル・メモリ・カード（ＳＤメモリカード）、ハードディスク等がある。
【００２０】
２０４は無線通信を行うための無線インタフェース部、２０５はアンテナである。
【００２１】
２０６は撮像部、２０７は液晶表示部である。撮像部２０６で撮影された画像は、デジタルカメラ制御部２０１によって画像ファイル化された後、記憶媒体２０２に格納される。
【００２２】
２０８はデジタルカメラ１０１のユーザが入力を行うためのキー入力部である。２０９は、キー入力部２０８に設けられている画像送信ボタンである。ユーザによって画像送信ボタン２０９が押下されると、記憶媒体２０２に格納されている画像ファイルのファイルサーバ１０４への送信処理が開始される。
【００２３】
２１０はメモリである。２１１はホームのアクセスポイントの無線ネットワーク識別子が格納されるホーム識別子格納エリアである。２１２はパブリックのアクセスポイントの無線ネットワーク識別子が格納されるパブリック識別子格納エリアである。２１３は、インターネット１０６経由で自宅のネットワーク１０２Ａにアクセスする際に必要な情報を格納するアクセス情報格納エリアである。２１４は、インターネット１０６経由でファイルを自宅のファイルサーバ１０４Ａに送信する際に必要とされる、ファイルサーバＡのＩＰアドレスを格納するファイルサーバアドレス格納エリアである。また、メモリ２１０には後述する図３、４、５の動作プログラムが格納されており、デジタルカメラ制御部２０１は、このプログラムに従ってデジタルカメラ１０１全体の制御を行う。
【００２４】
図３は本実施例におけるデジタルカメラ１０１の動作を示したフローチャートである。
【００２５】
以下、図１のシステム構成図、図２のブロック図、図３のフローチャートを用いて説明する。
【００２６】
デジタルカメラ１０１のユーザは、ホーム識別子格納エリア２１１、パブリック識別子格納エリア２１２、アクセス情報格納エリア２１３、ファイルサーバアドレス格納エリア２１４にあらかじめ値を設定しておく。値の設定は、液晶表示部２０７で確認を行いながらキー入力部２０８の各キーを使用して行う。
【００２７】
図１で示されるシステムの場合には以下のように値を設定する。
【００２８】
ホーム識別子格納エリア２１１には、自宅のアクセスポイント１０３Ａの無線ネットワーク識別子Ａ（例えば文字列”ＨＯＭＥ  ＡＰ”）を設定する。パブリック識別子格納エリア２１２には、公衆無線ＬＡＮのアクセスポイント１０３Ｃの無線ネットワーク識別子Ｃ（例えば文字列”ＰＵＢＬＩＣ  ＳＰＯＴ”）を設定する。
【００２９】
アクセス情報格納エリア２１３には、インターネット１０６から自宅のネットワーク１０２Ａにアクセスする為の情報を設定する。例えば、ゲートウェイ１０５ＡのＩＰアドレス、暗号化方式、及び暗号鍵を設定する。これにより、ゲートウェイ１０５Ａとの間でＩＰＳｅｃ（Ｓｅｃｕｒｉｔｙ  Ａｒｃｈｉｔｅｃｔｕｒｅ  ｆｏｒ  Ｉｎｔｅｒｎｅｔ  Ｐｒｏｔｏｃｏｌ）によるＶＰＮ（Ｖｉｒｔｕａｌ  Ｐｒｉｖａｔｅ  Ｎｅｔｗｏｒｋ）を設定することができる。
【００３０】
ファイルサーバアドレス格納エリア２１４には、自宅のファイルサーバ１０４ＡのＩＰアドレスを設定する。
【００３１】
また、デジタルカメラ１０１のユーザは、自宅のアクセスポイント１０３Ａ及び公衆ＬＡＮのアクセスポイント１０３Ｃに接続する為の無線通信パラメータをあらかじめ設定しておく。無線通信パラメータの値の設定は液晶表示部２０７で確認を行いながらキー入力部２０８の各キーを使用して行う。
【００３２】
なお、デジタルカメラ１０１がアクセスポイントと無線通信を行うことにより無線端末に無線通信パラメータを自動設定する機能（無線通信パラメータ設定シーケンス）を有している場合は、当該機能を用いて無線通信パラメータを設定することも可能である。
【００３３】
通常、アクセスポイントはビーコンと呼ばれる制御情報を定期的に送信しており、無線端末はビーコンを受信することによってアクセスポイントの圏内に入ったことを検知する。ビーコンにはアクセスポイントの無線ネットワーク識別子が含まれており、無線端末はビーコンに含まれる無線ネットワーク識別子を解析することにより、どのアクセスポイントの圏内にいるかどうかを判別することができる。
【００３４】
デジタルカメラ１０１は、無線インタフェース部２０４において定期的にビーコンを探索しており、ビーコンを受信した場合にアクセスポイントの圏内に入ったことを検知することが可能である。
【００３５】
受信したビーコンの無線ネットワーク識別子が、ホーム識別子格納エリア２１１に格納されている無線ネットワーク識別子と一致した場合（Ｓ３０２のＹｅｓ）、デジタルカメラ１０１は以下の動作を行う。
【００３６】
まず、デジタルカメラ１０１はアクセスポイント１０３（この場合は自宅のアクセスポイント１０３Ａ）との間で無線接続を開始する（Ｓ３０３）。無線接続が完了すると、デジタルカメラ１０１はファイルサーバの探索を行う（Ｓ３０４）。ファイルサーバ１０４の探索には、同一ネットワーク内での機器の検索が行えるＵＰｎＰの探索機能等が用いられる。
【００３７】
ファイルサーバ１０４が見つかった場合、デジタルカメラ１０１はファイルサーバ１０４（この場合は自宅のファイルサーバ１０４Ａ）に対し、記憶媒体２０２に格納されているファイルを送信する（Ｓ３０５）。
【００３８】
以上の処理により、自宅のアクセスポイント１０３Ａの圏内に入った場合には、デジタルカメラ１０１から自宅のファイルサーバ１０４Ａに対して自動的にファイルの送信を行うことができる。また、ファイルサーバの探索にはＵＰｎＰの探索機能等が用いられるため、デジタルカメラに自宅ファイルサーバのＩＰアドレスを記憶しておく必要もない。
【００３９】
受信したビーコンの無線ネットワーク識別子が、パブリック識別子格納エリア２１２に格納されている無線ネットワーク識別子と一致した場合（Ｓ３０６のＹｅｓ）、デジタルカメラ１０１は以下の動作を行う。
【００４０】
デジタルカメラ１０１は、アクセスポイント１０３（この場合は公衆のアクセスポイント１０３Ｃ）との間で無線接続を開始する（Ｓ３０７）。無線接続が完了すると、デジタルカメラ１０１はアクセス情報格納エリア２１３に設定されている情報に基づいて、ネットワーク１０２Ａへのアクセスを行う（Ｓ３０８）。
【００４１】
アクセス情報格納エリア２１３にゲートウェイ１０５ＡのＩＰアドレス、暗号化方式、及び暗号鍵が設定されている場合は、デジタルカメラ１０１はゲートウェイ１０５Ａとの間でＩＰＳｅｃによるＶＰＮを設定する。ＶＰＮを設定することによって、インターネット１０６の区間でもファイル転送の安全性が保たれる。
【００４２】
そしてデジタルカメラ１０１は、ファイルサーバアドレス格納エリア２１４に格納されているファイルサーバアドレス（この場合は自宅のファイルサーバ１０４ＡのＩＰアドレス）に対して記憶媒体２０２に格納されているファイルを送信する（Ｓ３０９）。
【００４３】
以上の処理により、公衆無線ＬＡＮのアクセスポイント１０３Ｃの圏内に入った場合には、デジタルカメラ１０１から自宅のファイルサーバ１０４Ａに対して自動的にファイルの送信を行うことができる。また、ＶＰＮを介して送信を行うので、屋外からでも安全にファイルを送信することができる。
【００４４】
受信したビーコンの無線ネットワーク識別子が、ホーム識別子格納エリア２１１及びパブリック識別子格納エリア２１２に格納されているいずれの無線ネットワーク識別子とも一致しなかった場合（Ｓ３１０のＹｅｓ）、デジタルカメラ１０１は以下の動作を行う。
【００４５】
デジタルカメラ１０１は、画像送信ボタン２０９の入力を監視する（Ｓ３１１）。ユーザによる画像送信ボタン２０９の入力を検知した場合（Ｓ３１１のＹｅｓ）、デジタルカメラ１０１はアクセスポイント１０３（この場合は他人宅のアクセスポイント１０３Ｂ）との間で無線通信パラメータ設定シーケンスを起動する（Ｓ３１２）。
【００４６】
無線通信パラメータ設定シーケンスを実行することで、アクセスポイント１０３（この場合は他人宅のアクセスポイント１０３Ｂ）と無線通信するための無線通信パラメータがデジタルカメラ１０１に設定される。
【００４７】
無線通信パラメータ設定シーケンスが完了すると、デジタルカメラ１０１は、アクセスポイント１０３（この場合は他人宅のアクセスポイント１０３Ｂ）との間で無線接続を開始する（Ｓ３１３）。無線接続が完了すると、デジタルカメラ１０１はファイルサーバの探索を行う（Ｓ３１４）。ファイルサーバ１０４の探索には、同一ネットワーク内での機器の検索が行えるＵＰｎＰの探索機能等が用いられる。
【００４８】
ファイルサーバ１０４が見つかった場合、デジタルカメラ１０１はファイルサーバ１０４（この場合は他人宅のファイルサーバ１０４Ｂ）に対して記憶媒体２０２に格納されているファイルを送信する（Ｓ３１５）。
【００４９】
以上の処理により、他人宅のアクセスポイント１０３Ｂの圏内に入った場合には、画像送信ボタン２０８を押すことによって、他人宅のファイルサーバ１０４Ｂに対してファイルの送信を行うことができる。従って、簡単な操作により他人宅のファイルサーバにファイルを送信することができる。また、ユーザの指示なしで他人宅のファイルサーバに自動的にファイルを送信してしまう危険もない。
【００５０】
以上説明したように、本実施例によれば、自宅、他人宅、公衆無線ＬＡＮ、いずれのアクセスポイントの圏内においても、ファイルサーバへのファイルの送信を簡単かつ安全に行うことができる。
【００５１】
＜実施形態２＞
図４は、本発明の実施形態２におけるデジタルカメラ１０１の動作を示したフローチャートである。
【００５２】
システム構成図、及びデジタルカメラ１０１のブロック図については実施形態１と同様であるため、説明を省略する。以下、図１のシステム構成図、図２のブロック図、図４のフローチャートを用いて説明する。
【００５３】
デジタルカメラ１０１のユーザは、ホーム識別子格納エリア２１１、アクセス情報格納エリア２１３、ファイルサーバアドレス格納エリア２１４にあらかじめ値を設定しておく。設定する値、及び設定方法は実施形態１と同じである。但し、実施形態２ではパブリック識別子格納エリア２１２への値の設定は行わなくてもよい。
【００５４】
また、デジタルカメラ１０１のユーザは自宅のアクセスポイント１０３Ａと無線通信する為の無線通信パラメータをあらかじめ設定しておく。無線通信パラメータの設定方法は実施形態１と同じである。
【００５５】
アクセスポイントから受信したビーコンの無線ネットワーク識別子が、ホーム識別子格納エリア２１１に格納されている無線ネットワーク識別子と一致した場合（Ｓ３０２のＹｅｓ）のデジタルカメラ１０１の動作は実施形態１と同じである（Ｓ３０３〜Ｓ３０５）。
【００５６】
受信したビーコンの無線ネットワーク識別子が、ホーム識別子格納エリア２１１に格納されている無線ネットワーク識別子と一致しなかった場合（Ｓ３０２のＮｏ、Ｓ３１０のＹｅｓ）、デジタルカメラは以下の動作を行う。
【００５７】
デジタルカメラ１０１は画像送信ボタン２０９の入力を監視し（Ｓ３１１）、ユーザによる画像送信ボタン２０９の入力を検出した場合（Ｓ３１１のＹｅｓ）、Ｓ３１２に進む。
【００５８】
Ｓ３１２において、デジタルカメラ１０１は、アクセスポイント１０３（この場合は他人宅のアクセスポイント１０３Ｂまたは公衆無線ＬＡＮのアクセスポイント１０３Ｃ）との間で無線通信パラメータ設定シーケンスを起動する。
【００５９】
無線通信パラメータ設定シーケンスの実行によりアクセスポイント１０３（この場合は他人宅のアクセスポイント１０３Ｂまたは公衆無線ＬＡＮのアクセスポイント１０３Ｃ）と接続するための無線通信パラメータがデジタルカメラ１０１に設定される。
【００６０】
無線通信パラメータ設定シーケンスが完了すると、デジタルカメラ１０１は、アクセスポイント１０３（この場合は他人宅のアクセスポイント１０３Ｂまたは公衆無線ＬＡＮのアクセスポイント１０３Ｃ）との間で無線接続を開始する（Ｓ３１３）。無線接続が完了すると、デジタルカメラ１０１はアクセス情報格納エリア２１３に格納されている情報に基づいて、ネットワーク１０２Ａへのアクセスを行う（Ｓ３０８）。
【００６１】
アクセス情報格納エリア２１３にゲートウェイ１０５ＡのＩＰアドレス、暗号化方式、及び暗号鍵が設定されている場合は、デジタルカメラ１０１はゲートウェイ１０５Ａとの間でＩＰＳｅｃによるＶＰＮを設定する。ＶＰＮを設定することによってインターネット１０６の区間でもファイル転送の安全性が保たれる。
【００６２】
そして、デジタルカメラ１０１は、ファイルサーバアドレス格納エリア２１４に格納されているファイルサーバアドレス（この場合は自宅のファイルサーバ１０４ＡのＩＰアドレス）に対して記憶媒体２０２に格納されているファイルを送信する（Ｓ３０９）。
【００６３】
以上の処理により、他人宅のアクセスポイント１０３Ｂの圏内に入った場合でも、デジタルカメラ１０１から自宅のファイルサーバ１０４Ａに対してファイルの送信を行うことができる。また、ＶＰＮを介して送信を行うので、他人宅からでも安全にファイルを送信することができる。
【００６４】
本実施例によれば、自宅、他人宅、公衆無線ＬＡＮ、いずれのアクセスポイントの圏内においても、自宅のファイルサーバに対して簡単かつ安全にファイルの送信を行うことができる。
【００６５】
＜実施形態３＞
実施形態３は、実施形態１及び実施形態２において、ホーム識別子格納エリア２１１への無線ネットワーク識別子の設定を自動的に行う方法に関する。
【００６６】
図５は、本実施例において、ホーム識別子格納エリア２１１へ無線ネットワーク識別子を設定する際のデジタルカメラ１０１の動作を示すフローチャートである。
【００６７】
無線通信パラメータ設定シーケンスが起動されると（Ｓ５０２のＹｅｓ）、デジタルカメラ１０１は無線通信パラメータ設定シーケンスを実行する（Ｓ５０３
）。無線パラメータ設定シーケンスが起動される場合とは、ユーザによる無線パラメータ設定開始の指示があった場合、デジタルカメラ１０１の電源が投入された場合等がある。
【００６８】
無線通信パラメータ設定シーケンスが完了すると、デジタルカメラ１０１は、ホーム識別子格納エリア２１１に無線ネットワーク識別子が既に格納されているかどうかを判別する（Ｓ５０４）。無線ネットワーク識別子が格納されていない場合は（Ｓ５０４のＮｏ）、デジタルカメラ１０１は、無線通信パラメータ設定シーケンスにより取得した無線ネットワーク識別子をホーム識別子格納エリア２１１に格納する（Ｓ５０５）。
【００６９】
以上の処理により、デジタルカメラ１０１が最初に無線通信パラメータ設定シーケンスを実行した相手のアクセスポイントを自宅のアクセスポイントと認識し、ホーム識別子格納エリア２１１に自動的に設定する。
【００７０】
なお、無線通信パラメータ設定シーケンスにより取得した無線ネットワーク識別子をホーム識別子格納エリア２１１に格納する際には、液晶表示部２０７にその旨を表示し（例えば「ホームに設定しますか？」）、ユーザの指示に応じて格納するようにしてもよい。
【００７１】
他の動作は実施形態１および実施形態２と同じである。
【００７２】
本実施例によれば、実施形態１および実施形態２の効果に加えて、ホーム識別子格納エリア２１１への無線ネットワーク識別子の設定を簡単に行うことができる。
【００７３】
以上説明したように、上記各実施例によれば、デジタルカメラの記憶媒体に格納されているファイルを簡単かつ安全にネットワーク上のファイルサーバに送信することができる。
【００７４】
自宅の無線アクセスポイント圏内に入った場合は、自動的にファイルが自宅のファイルサーバに送信されるため、ユーザに煩雑な操作を強いることなくファイルの管理が可能となる。例えば、一度帰宅すれば、自動的に自宅のファイルサーバへファイルが送信されるため、翌日以降に記憶媒体の容量が少なくなった場合でも、送信済みのファイルを削除することにより撮影を続けることが可能となる。
【００７５】
また、外出先で記憶媒体の容量が足りなくなった場合は、公衆無線ＬＡＮの圏内に入りさえすれば、自宅のファイルサーバにファイルを送信することができるため、記憶媒体の容量を気にせず撮影を続けることができる。
【００７６】
また、他人宅のアクセスポイント圏内に入った場合は、ユーザの指示がなければファイルの送信が行われないため、ユーザが知らない間に自分のファイルが他人宅のファイルサーバに送信される危険も低減できる。また、他人宅のアクセスポイント圏内からは、他人宅、自宅いずれのファイルサーバに対してもファイルを送信することができる。
【００７７】
また、未記憶の無線ネットワーク識別子を用いて通信するアクセスポイントの圏内に入った場合は、無線通信パラメータ設定シーケンスを実行することにより、当該アクセスポイントと通信するための無線通信パラメータを容易に設定することができる。
【００７８】
なお、上記各実施例では、どのファイルを送信するかについては詳しく述べていないが、ファイルの送信方法に関しては特に限定されないものとする。例えば、各ファイルに送信済／未のフラグを設け、アクセスポイントの圏内に入った場合は未送信のファイルのみ送信するようにしてもよい。これにより、通信帯域を有効に活用することができる。
【００７９】
また、ファイルサーバに送信済みのファイルを一定時間後に自動的に削除するようにしてもよい。これにより、記憶媒体の容量を気にせずに撮影を続けることが可能となる。また、自宅のファイルサーバに送信したファイルは記憶媒体から自動的に削除し、他人宅のファイルサーバに送信したファイルについては削除しないようにしてもよい。これにより、謝って他人宅のファイルサーバに送信してしまったファイルが削除される危険を低減することができる。
【００８０】
また、他人のファイルサーバへの送信を禁止するファイルについてはフラグを設け、他人宅のファイルサーバにファイルを送信する際には当該フラグを確認し、該当するファイルについては送信しないようにしてもよい。これにより、他人に見られたくないファイルを誤って他人宅のファイルサーバに送信してしまう危険を低減することができる。
【００８１】
なお、上記各実施例ではデジタルカメラを用いた場合について説明したが、無線通信機能を備えていれば、携帯音楽プレーヤーや携帯ゲーム機、ＰＤＡ等、どのような機器であってもよい。
【００８２】
また、上記各実施例ではＩＥＥＥ８０２．１１無線ＬＡＮを用いる場合について説明したが、ＷｉＭａｘやｉＢｕｒｓｔ等、他の無線通信方式にも本発明は適用可能である。また、無線ネットワークだけでなく、有線ネットワークにおいても本発明は適用可能である。
【符号の説明】
【００８３】
１０１  デジタルカメラ１０１
１０２Ａ  ネットワーク（自宅）
１０２Ｂ  ネットワーク（他人宅）
１０３Ａ  アクセスポイント（自宅）
１０３Ｂ  アクセスポイント（他人宅）
１０３Ｃ  アクセスポイント（公衆無線ＬＡＮ）
１０４Ａ  ファイルサーバ（自宅）
１０４Ｂ  ファイルサーバ（他人宅）
１０５Ａ  ゲートウェイ（自宅）
１０５Ｂ  ゲートウェイ（他人宅）
１０６  インターネット
２０１  デジタルカメラ制御部
２０２  記憶媒体
２０４  無線インタフェース部
２０６  画像送信ボタン
２１１  ホーム識別子格納エリア
２１２  パブリック識別子格納エリア
２１３  アクセス情報格納エリア
２１４  ファイルサーバアドレス格納エリア
【図１】
0005465314.tif 000002
【図２】
0005465314.tif 000003
【図３】
0005465314.tif 000004
【図４】
0005465314.tif 000005
【図５】
0005465314.tif 000006